(57)【要約】      （修正有）【課題】筆なで・筆置き・移し口の三つを安定度の高い角型の硯池に、一体化させ、便利に効率よく使用できる角型硯池を備えた硯を提供する。【解決手段】硯池の底に長方形の立体を垂直に立てて形成され、上部に湾曲部１２を有する筆なで５と、硯の一辺の側面に三日月形の凹みを二つ形成してなる筆置き６，７と、硯の一つの角部の上部に形成される移し口８と、角部の外側に形成される三角状の受け口９と、角部の内側に形成されるふくらみ４と、を構造的に同化させ、一体化した。【選択図】図１
0003188227.tif 000002
【実用新案登録請求の範囲】
【請求項１】
硯池に付属する各役目（筆なで・筆置き・移し口）の部を硯池に同化、一体化させた角型硯池である。
【考案の詳細な説明】
【技術分野】
【０００１】    本考案は、書道の時使う墨液を入れる角型の硯池に関するものである。
【背景技術】
【０００２】  我が国においては、古い時代から書は生活の一部であった。硯・筆・固形墨の三つは、必須の用具であった。この三つは、現代において、急速に研究が進み、多種多様になってきた。特に墨においては、すりおろすのに手間のかかる固形墨が使われなくなり、既成の墨液が、主流になってきた。従って固形墨用の硯より墨液を入れる広い硯池の容器が要求され、普及し始めたということになる。そこで登場したのが円型の墨池と表面は固形墨用、裏面は墨池になっている角型一台二役という二種類がよく使われている。
【先行技術文献】
【特許文献】
【考案の概要】
【考案が解決しようとする課題】
【０００３】  現在、墨液を入れる硯容器には、二通りある。一つは円形墨池である。穂の墨を適量にならし落とすための筆ならし、筆を休める筆置き、残り墨を容器に移すそそぎ口、この三つが付いている。筆ならしは必要以上に大きく、中央に成形、筆置きは本体の左横に突出した構造、そそぎ口は、本体右に突出形成、どちらも本体から突出していて硯容器のかさ張る原因になっている。学校の狭い机の上に置けない。円型だから道具箱に収納しにくい難点もる。もう一つの硯は、表裏一台二役で、表面は、固形墨用、裏面は墨液用になっている。墨液の普及により裏面は使われているが、表面は、学校でも使用させていないという。この円型墨池と両面硯については、便利なように工夫されているが、使用者にとって必ずしも満足な物になっていない。そこで、本案は以上の問題点を解決するものである。
【課題を解決する手段】
【０００４】  上記のような課題を解決するため、まず本体の形を硯本来の形である角型にし、その角型の硯池に、筆なで・筆置き・移し口の三つを同化させ、一体感のある角型硯池にした。含ませた墨を適量に調整するための筆なでは、適当な大きさで一番使いやすい手前に垂直に立て、直接穂をなでるところを斜面に形成した。筆置きは硯池の一つの縁を利用、凹部二つを設けて、安定した置き場所にした。残り墨を別の容器に移す時に使う移し口も、本体に同化させることによって一体化をねらった角型硯池である。
【本案の効果】
【０００５】  本考案は、種々の作用点を一体化したことで、効率的に使用できる効果が期待できる。
【図面の簡単な説明】
【０００６】
【図１】  角型硯池の斜視図である。
【図２】  図１の角型硯池の平面図である。
【図３】  移し口の硯池内構造図である。
【図４】  移し口の硯池外構造図である。
【図５】  中央断面図である。
【図６】  移し口あたりの全体断面図である。
【図７】  筆なで状態図である。
【図８】  筆置き状態図である。
【図９】  移し口から容器に戻す状態図である。
【発案を実施するための形態】
【０００７】  以下、本考案の実施の形態を説明する。
図１及び図２に示すように角型形状である。墨を含ませた穂の墨を適量にするのに、硯池１の中の突起部４の上部斜面で穂をなでこすり墨量を調整する作用点「筆なで」を形成。「筆置き」５と６は硯池縁上部２の一辺に凹部を形成し大小筆兼用で安定した使用ができる。残り墨を他の容器に移す時の「移し口」７は２・９・３・１５・１１・８にて構造化し、移す容器に接触し易い形態にした。
【符号の説明】
【０００８】  １  角型硯池、２  硯池側面の上部、３  移し口の硯池内ふくらみ、４  筆なで、５  筆置き凹部  ６  筆置き、７  移し口、８  移し口外部、９  硯池側面の内側の面、１０  硯池側面の外側の面  １１  移し口を形成する硯池の側面、１２  大筆、１３  大筆、１４  小筆、１５  移し口構造のふくらみの硯池底と接する部分、１６  墨液容器
【図１】
0003188227.tif 000003
【図２】
0003188227.tif 000004
【図３】
0003188227.tif 000005
【図４】
0003188227.tif 000006
【図５】
0003188227.tif 000007
【図６】
0003188227.tif 000008
【図７】
0003188227.tif 000009
【図８】
0003188227.tif 000010
【図９】
0003188227.tif 000011
【手続補正書】
【提出日】平成25年8月13日(2013.8.13)
【手続補正１】
【補正対象書類名】実用新案登録請求の範囲
【補正対象項目名】全文
【補正方法】変更
【補正の内容】
【実用新案登録請求の範囲】
【請求項１】
硯が、角型である利点は、筆なで、筆置き、などの使用時に、重心が一点にかからず、安定していることであり、円形の硯に比べて極めて安定度が高く、机にも置きやすく、道具箱にも収納しやすい特徴を持ち、筆なでは、墨池の中に小さな長方形の立体を垂直に立て、上部は、湾曲に形成し、筆の穂に含ませた墨を適量にするため、墨をなで落とすためのものであり、筆置きは、筆を休めるため寝せ置く場所であって、硯の一辺の縁に、三日月形の凹みを二つ形成し、安定した置き場になっており、移し口は、残り墨を別容器に移す時、硯から流し入れる箇所であって、硯の一つの角を構造化し、外側に三角状の受け口を形成、内側は構造上のふくらみを形成、移す容器口に安定した接触のもとで、残り墨を移し口から流し戻せるようになっていて、今まで述べた筆なで、筆置き、移し口、受け口などを一つの硯に一体化させた形状を有する角型硯池を備えた硯。
【手続補正２】
【補正対象書類名】明細書
【補正対象項目名】全文
【補正方法】変更
【補正の内容】
【考案の詳細な説明】
【技術分野】
【０００１】  本考案は、書道の時に使う墨液を入れる角型硯池を備えた硯に関する。
【背景技術】
【０００２】  我が国においては、古い時代から書は生活の一部であった。硯・筆・固形墨の三つは必須の用具であった。この三つは近年において急速に研究が進み、多種多様になってきた。特に墨においては、すりおろすのに手間のかかる固形墨が使用されず、既成の墨液が主流になってきた。従って、固形墨用の硯より墨液を入れる広い硯が要求され、普及し始めたということになる。そこで登場したのが、円型の墨池硯と表面は固形墨用、裏面は墨液を入れる墨池硯になっている一台二役の角型の硯の二種類がよく使われている。
【考案が解決しようとする課題】
【０００３】  一般的に使用されている墨液を入れる硯に円形墨池という硯があるが、本体の中央に必要以上の大きな筆ならしが形成されている。筆を休める筆置きは、硯本体の左側に突出した形成になっていて、大きな筆を置く時、硯本体が傾く可能性があり、かなり不安定感がある。残り墨を他の容器に移す時に使うそそぎ口は、硯本体の右側に小さく本体から突出して形成されていて、移される容器との接触が不安定で、接触部がずれやすく、墨をこぼす原因になることがある。上述の通り、筆ならしは、無格好で大きすぎるし、筆置きとそそき口は、硯本体からの突出形成によりかさ張る要因で、学校の机にも置けないし、道具箱への収納も難点に成っている。
【０００４】  これとは別に、もう一つの種類の硯がある。それは一台二役の硯である。表面の墨液を入れる広い硯池を有した面は、よく使われているが、裏面の固形墨をすり合わせる硯面は、学校でも使っていない。手間のかかる固形墨のすり合わせは、誰にも敬遠されていて、無用の長物となっている。
【０００５】  本考案は、上記問題を解決するものであり、その目的とすることは、安定度の高い角型硯池に、筆なで、筆置き、移し口を一体化させ、誰もが便利に効率よく使用できる角型硯池を備えた硯を提供することである。
【課題を解決する手段】
【０００６】  本考案は、上記の課題を解決するために以下のような構成をとる。硯の形が先ず、角型であることは、安定感に優れていることである。筆なでしたり、筆置きしたりする時に、本体の重心が移動しても本体の安定を保てる特徴を有している。
【０００７】  筆なでは、必要最小限の大きさで硯の中央より使いやすい手前に形成する。穂につけた墨量を適量にする時の筆なでの押さえは、硯本体が不安定になることもない。大きさは小さいが、硯とのつり合いもとれ、単純化していてデザイン性も高い。
【０００８】  筆置きは、本体からの突出形成を避け、側面の一辺の縁に凹みを形成、大きな筆を置いて重心がかかっても角型硯のため不安定さがない。筆置きとして一番使いやすい箇所でもある。
【０００９】  移し口も硯本体からの突出を避け、硯の一角を構造化し、硯との一体化を有するもので、硯の一角の外側に三角状の受け口を形成し、移す容器に安定した接触のもとに残り墨を流し移せるようになっている。
【本案の効果】
【０００１０】  上記のような角型硯池を備えた硯であるので、誰もが便利に効率よく使用できる。
【図面の簡単な説明】
【０００１１】
【図１】  角型硯池を備えた硯の斜視図。
【図２】  図１の平面図。
【図３】  移し口の硯池内構造図。
【図４】  残り墨を戻す容器が、安定してはまる受け口の構造図。
【図５】  中央断面図。
【図６】  移し口と受け口あたりの断面図。
【図７】  筆なで状態図。
【図８】  筆置き状態図。
【図９】  移す容器を硯の受け口にあて、残り墨を移し口から流し戻す状態図。
【考案を実施するための形態】
【０００１２】  本考案の実施の形態を図１から図９を参照しつつ説明する。
図１及び図２に示すように硯池の底面２とそれを囲む四辺の側面１０で角型硯池を備えた硯１をなす。
【０００１３】  筆なで５は、小さな四角形の立体５を、側面１０に近い方に、硯池の底２から垂直に形成し、筆なで５の上部は穂がやさしく当たるように湾曲１２を有している。
【０００１４】  筆置きの６と７は側面１０の上部３に、三日月形凹部を有している。
【０００１５】  硯１の一角に三角状の切り込みを有した当て口９は、移す容器１６の口をはめ込む箇所となっている。
【０００１６】  残り墨を別容器１６に流し込む移し口８は、側面１０の角に形成している。
【０００１７】  受け口９の構成上、内側の薄さを補強するためのふくらみ４を有する。
【０００１８】  移し口８に残り墨が集り流れやすいように側面上部３を少し狭め、ふくらみ４の上部も狭く、やや低く形成を有している。
本考案は以上のような構造である。
【０００１９】  本考案を実施する時は、墨液を硯池内に適量入れて、筆１３の穂についた墨量を適量に筆なで５の湾曲１２でなで落とす。
筆を休める時は、硯の側面一辺１０に、二か所の三日月形の凹み６と７の筆置きに置く。
残り墨を別容器１６に戻す時には、容器１６の口を三角状の受け口９にはめ込み硯を傾けて移し口８から容器１６に流し入れる。
【符号の説明】
【０００２０】  １  角型硯池を備えた硯
２  硯池の底
３  側面の上部
４  受け口の構造上薄くなった硯池内の内角を補強するためのふくらみ
５  四角柱の筆なで
６  筆置き
７  筆置き
８  残り墨を別容器に流し入れる移し口
９  残り墨を受け入れる容器口をはめ込む受け口
１０  硯の側面
１１  ふくらみが、硯の底と接するところ
１２  筆なでの上部に形成した湾曲部
１３  筆なでする筆
１４  筆置きされた大筆
１５  筆置きされた小筆
１６  残り墨を移す容器
【手続補正３】
【補正対象書類名】図面
【補正対象項目名】全図
【補正方法】変更
【補正の内容】
【図１】
0003188227.tif 000012
【図２】
0003188227.tif 000013
【図３】
0003188227.tif 000014
【図４】
0003188227.tif 000015
【図５】
0003188227.tif 000016
【図６】
0003188227.tif 000017
【図７】
0003188227.tif 000018
【図８】
0003188227.tif 000019
【図９】
0003188227.tif 000020
【手続補正書】
【提出日】平成25年10月15日(2013.10.15)
【手続補正１】
【補正対象書類名】実用新案登録請求の範囲
【補正対象項目名】全文
【補正方法】変更
【補正の内容】
【実用新案登録請求の範囲】
【請求項１】
角形硯池を備えた硯であって、硯池の底に長方形の立体を垂直に立てて形成され、上部に湾曲部（１２）を有する筆なで（５）と、硯の一辺の側面に三日月形の凹みを二つ形成してなる筆置き（６，７）と、硯の一つの角部の上部に形成される移し口（８）と、前記角部の外側に形成される三角状の受け口（９）と、前記角部の内側に形成されるふくらみ（４）と、を有する角形硯池を備えた硯。